(57)【要約】【課題】配管作業の簡単化や迅速化、低コスト化を図ることができ、圧力損失を招き易いエルボを使用することなく、又壁裏への管の飛び出し寸法を大きくすることなく配管できるようにする。【解決手段】浴室の壁面１を介して浴室内設備に配管する浴室の配管構造であって、上記の壁面１に複数の管４を一緒に通す開口部５を形成する。この開口部５を、浴室内に張り出させる蓋８で閉塞する。この蓋８に、浴室の内方に斜面を向けた傾斜面部８ａを形成する。この傾斜面部８ａを介して管４を、浴室内設備に接続する。【選択図】　　　図１
2004092286.tif 000002
【特許請求の範囲】
【請求項１】
浴室の壁面を介して浴室内設備に配管される浴室の配管構造であって、上記の壁面に複数の管が一緒に通される開口部が形成され、この開口部が浴室内に張り出される蓋で閉塞され、この蓋に浴室の内方に斜面が向けられた傾斜面部が形成され、この傾斜面部を介して管が浴室内設備に接続されていることを特徴とする浴室の配管構造。
【請求項２】
請求項１記載の浴室の配管構造であって、傾斜面部に管継手が取り付けられ、この管継手を介して配管されていることを特徴とする浴室の配管構造。
【請求項３】
請求項１又は２記載の浴室の配管構造であって、傾斜面部が蓋の上部に形成されていることを特徴とする浴室の配管構造。
【請求項４】
請求項１又は２記載の浴室の配管構造であって、傾斜面部が蓋の側部に形成されていることを特徴とする浴室の配管構造。
【請求項５】
請求項１乃至４の何れかに記載の浴室の配管構造であって、開口部が、浴槽で隠される、浴槽の側壁に対向する壁面位置に形成されていることを特徴とする浴室の配管構造。
【発明の詳細な説明】
【０００１】
【発明の属する技術分野】
本発明は、浴室の配管構造に関し、更に詳しくは浴室内設備としての水栓や浴槽等に、給水管や給湯管、或いは追い焚き配管等を浴室の壁面を介して接続するときの浴室の配管構造に関するものである。
【０００２】
【従来の技術】
従来この種の配管構造としては、例えば側壁パネルに貫通スリーブを設け、給水及び給湯ヘッダーと貫通スリーブ管にサヤ管を設け、このサヤ管内に可撓性樹脂管を通してヘッダーと水栓接続金具を連結し、可撓性樹脂管をエプロンで隠蔽するよう形成したものが知られている（例えば特許文献１参照）。
【０００３】
【特許文献１】
特開平９ー３２０５４号公報（第１頁、図１、図２）
【０００４】
【発明が解決しようとする課題】
上記の従来例の場合は、浴室の壁面に給水管や給湯管等の管を通すための孔を開け、この孔に管継手を上向き状に取り付け、この管継手を介して配管しているため、これによると例えば壁に複数の孔を開けたり、管継手を夫々の孔に上向き状に取り付ける作業を伴い、この種の作業に手間暇がかかり、作業能率が上がらない、という問題点があった。
ところで浴室の壁面を介して配管するこの種の配管構造の場合、壁裏への管の飛び出し寸法（図１のＤ参照）が大きくなると、壁厚をとられ、浴室スペースの狭小化をも招くことになる。そのため従来この種の配管構造では、上記の寸法Ｄを小さくして配管する必要から、エルボ（管路の向きを９０度かえる管継手）を利用する場合が多かった。而してエルボを利用すると、エルボの箇所で湯水が方向転換するため圧力損失が生じ易く、又壁裏の立ち上げ管の上端にエルボを取り付けるため、立ち上げ管の高さが決定され、配管施工上の自由度がなくなり、施工がし難くなる、という問題があった。
【０００５】
本発明は、このような従来の実情に鑑み、提案されたものである。
従って本発明の技術的課題は、配管作業の簡単化や迅速化、低コスト化を図ることができ、圧力損失を招き易いエルボを使用することなく、又壁裏への管の飛び出し寸法を大きくすることなく配管できるよう形成した浴室の配管構造を提供することにある。
【０００６】
【課題を解決するための手段】
本発明は、上記の課題を解決するために、次のような技術的手段を採る。
【０００７】
即ち本発明は、図１等に示されるように、浴室の壁面１を介して浴室内設備に配管される浴室の配管構造であって、上記の壁面１に複数の管４が一緒に通される開口部５が形成され、この開口部５が浴室内に張り出される蓋８で閉塞され、この蓋８に浴室の内方に斜面が向けられた傾斜面部８ａが形成され、この傾斜面部８ａを介して管４が浴室内設備に接続されていることを特徴とする（請求項１）。
【０００８】
ここで、浴室内設備としては、給水用や給湯用の水栓２、或いは追い焚き機能付き浴槽３等がある。従って管４は、給水栓に接続される給水管、給湯栓に接続される給湯管、或いは追い焚き機能付き浴槽３に接続される湯の往き管や戻し管がある。管４としては、例えば樹脂製の可撓管のほか、銅管等の柔軟質の金属管等がある。本発明の場合、開口部５は、通常、正方形等の方形に形成されるが、形状は任意である。又ここで、浴室内に張り出される蓋８とは、エルボを使用しなくても管４を浴室に引き込み易くなるよう蓋８が浴室側に凹んで形成されている、ということを意味し、具体的には蓋８が縦断面ハット形や、縦断面三角形状（図８、図９参照）等に形成されることで実現される。又本発明の場合、傾斜面部８ａは、浴室の内方に斜面が向けられ、配管が可能なスペースを有するのであれば、その形成位置や大きさ、及び勾配は任意である。
【０００９】
この場合本発明は、傾斜面部８ａに管継手１０が取り付けられ、この管継手１０を介して配管されているのが好ましい（請求項２）。
【００１０】
なぜならこの場合は、傾斜面部８ａに、管４を安定的に取り付けることができるからである。管継手１０は、例えば管４が両側に接続されるタイプのものでも良いが、施工が簡単なこと、及び水漏れが継手箇所で生じないことから、管４を挿通させる形式のスルー金具が好ましい。
【００１１】
又本発明は、傾斜面部８ａが蓋８の上部に形成されているのが好ましい（請求項３）。
【００１２】
なぜならこれによると、浴槽３のフランジ面に設けるデッキ型の水栓２に、管４を傾斜面部８ａから直線的に伸ばして接続でき、圧力損失が小さい状態で配管できるからである。
【００１３】
又本発明は、傾斜面部８ａが蓋８の側部に形成されているのでも良い（請求項４）。
【００１４】
この場合は、リフォーム等で横方向からしか配管できないような場合でも、対応できるからである。
【００１５】
又本発明は、開口部５が、浴槽３で隠される、浴槽３の側壁に対向する壁面位置に形成されているのが好ましい（請求項５）。
【００１６】
なぜならこれによると、開口部５が露出することを防止でき、浴室の美観を害することがないからである。
【００１７】
【発明の実施の形態】
以下、本発明の好適な一実施形態を添付図面に従って説明する。
【００１８】
本発明は、図１等に示されるように、浴室の壁面１を介して浴室内設備としての給水、給湯用の水栓２や、追い焚き機能付き浴槽３に、管４を接続する際の配管構造である。５は、浴室の壁面１に形成された開口部である。この開口部５は、防水パン６の壁載せ部６ａに立設されている壁パネル７に形成され、給水管や給湯管等の複数の管４が一緒に通されている。
【００１９】
管４は、この実施形態ではポリエチレン製の可撓管であり、許容曲げＲは２００ｍｍに選定されている。又開口部５は、浴室内に露出しないよう、浴槽３で隠される、浴槽３の側壁に対向する壁面位置に、例えば方形状に形成されている。
【００２０】
８は、浴室内に突き出されている、例えば縦断面略帽子形の蓋である。この蓋８は、例えばパッキンを介して壁面１に螺子９で密着状に取り付けられ、これにより開口部５は水密状に閉塞されている。蓋８は、この実施形態では浴室の内方への突き出し寸法Ｓ（図３参照）が６０ｍｍに選定され、その上部に、浴室の内方に斜面が向けられた傾斜面部８ａが形成されている。
【００２１】
上記の傾斜面部８ａには、管継手１０を取り付けるための取付孔８ａ１（図２参照）がこの実施形態では給水管用、給湯管用、及び追い焚き機能付き浴槽３の往き管用、戻し管用と、横並び状に計４個形成されている。管継手１０は、管４が通されるタイプのスルー金具で構成されている。この管継手１０は、Ｏリング１０ａ（図５参照）を備え、管４はこのＯリング１０ａで水密状に管継手１０に取り付けられる。又浴室設備としての追い焚き機能付き浴槽３に配管する場合は、図４、図５に示されるように、蓋８の傾斜面部８ａに例えばスルー金具タイプの管継手１０が取り付けられ、この管継手１０を介して管４が浴室内に引き込まれ、浴槽３の追い焚き金具１１の配管接続部１１ａに接続されるものである。
【００２２】
次に配管作業の一例を説明する。
作業者は、先ず上記の取付孔８ａ１を利用して傾斜面部８ａに管継手１０を４個とも予め取り付ける。次にこの管継手１０に、管４としての給水管、給湯管、追い焚き機能付き浴槽３の往き管、戻し管の計４本を通す。その後、作業者は、蓋８を壁面１に螺子９で取り付けて開口部５を密閉する。そして各管４を、所定の浴室内設備としての水栓２や浴槽３に接続するものである。
【００２３】
以上の処において、本発明の場合、上記の傾斜面部８ａは、例えば図６に示されるように、蓋８の側部に形成されるのでも良く、上部に限定されるものではない。この実施形態の場合は、リフォーム等で上向き状に管４を立ち上げることができない現場において、図７に示されるように、管４を横方向から配管することが可能になる。
【００２４】
又本発明の場合、蓋８の形状や浴室内への張り出し寸法は任意である。即ち蓋８は、例えば図８に示されるように、縦断面が略二等辺三角形状に形成されたり、或いは図９に示されるように、縦断面が直角三角形状に形成され、傾斜面部８ａが蓋８の上下方向にわたって長く形成されているのでも良い。又蓋８は、その他例えば縦断面が不等辺三角形状に形成され、上下の傾斜面部８ａを現場に合わせて適宜選定できるよう形成されているのでも良い。
【００２５】
又本発明は、図９に示されるように、傾斜面部８ａに管４が縦並びに取り付けられるのでも良く、上例のような横並びには限定されない。又上例では、管継手１０を介して傾斜面部８ａに管４が取り付けられているが、本発明は、傾斜面部８ａに、例えば管継手１０の機能を持つ接続部が一体成形され、この接続部を介して管４が配管されているのでも良く、管継手１０が傾斜面部８ａに取り付けられる場合に限定されるものではない。
【００２６】
【発明の効果】
以上説明したように本発明の場合は、給水管、給湯管等の複数の管を開口部に一緒に通して配管するため、各管用の孔を壁面に開け、各孔に管継手を例えば昇り傾斜状に取り付けたり、この各孔ごと管を通して配管する等の、煩わしさを一掃できる。それ故これによれば、配管作業に係る手間暇を軽減でき、配管作業を簡単化、迅速化、低コスト化できる。
【００２７】
又本発明の構造は、上記の通り、浴室内に張り出される蓋を介して傾斜面部から配管するものである。従ってこれによれば、圧力損失を招き易いエルボを使用することなく、又壁裏への管の飛び出し寸法を大きくすることなく、簡単、迅速に配管でき、又配管に自由度があるから、例えば傾斜面部に管を通してから蓋を壁面に取り付けて配管することができ、配管作業を効率良くできる。
【図面の簡単な説明】
【図１】本発明の配管構造の好適な一実施形態を示す一部を切欠した要部側面図である。
【図２】蓋の正面図である。
【図３】図２のＩＩＩ―ＩＩＩ線における蓋取付時の要部縦断面図である。
【図４】追い焚き機能付き浴槽に配管する例を示す一部を切欠した要部側面図である。
【図５】図４の実施形態の一部を切欠した要部縦断面図である。
【図６】側部に傾斜面部が形成された蓋の正面図である。
【図７】図６のＶＩＩ―ＶＩＩ線における蓋取付時の要部横断面図である。
【図８】蓋の他の実施形態を示す取付時の要部縦断面図である。
【図９】蓋の更に他の実施形態を示す取付時の要部縦断面図である。
【符号の説明】
１　　浴室の壁面
２　　浴室内設備としての水栓
３　　浴室内設備としての浴槽
４　　管
５　　開口部
８　　蓋
８ａ　傾斜面部
【図１】
2004092286.tif 000003
【図２】
2004092286.tif 000004
【図３】
2004092286.tif 000005
【図４】
2004092286.tif 000006
【図５】
2004092286.tif 000007
【図６】
2004092286.tif 000008
【図７】
2004092286.tif 000009
【図８】
2004092286.tif 000010
【図９】
2004092286.tif 000011